(57)【要約】【課題】ロータリー機構のもつ瞬時の倍力を瞬間中心に閉じ込めて入出力内回転子の作用で入出力等距離で増力を得る。【解決手段】ロータリー機構と遊星歯車機構の組合せで、固定軸１の中央に遊星歯車機構のキャリア３１を取付け、その上下に同型の入力部と出力部のロータリー機構を取付け、遊星歯車機構の入出力キャリアピン２４に取付けた閉込遊星歯車一５９ａ，ｂと閉込遊星歯車二６２ａ，ｂの逆回転の作用で、ロータリー機構の入力内回転子１５並びに出力内回転子１４が出力瞬間中心内歯車３５に閉じ込められた瞬間倍力を出力内回転子１４で取り出す。【選択図】        図１
2004278771.tif 000002
【特許請求の範囲】
【請求項１】
内歯車取付部（９）並びに軸受取付部（６９）及び軸受箱（６４）とネジ穴（３）を設け入力閉込太陽内歯車（２０）並びに入力瞬間中心内歯車（８）を固着し軸受箱（６３）を設けた入力太陽歯車（４８）を玉軸受（３２）を介して組合わせた入力外回転子（３８）に軸受箱（１８）並びに軸受取付部（６７）及び糸車接続板取付部（１３）を設けた入力内回転子（１５）を玉軸受（６）を介して組合せ、前記入力内回転子（１５）を歯車取付部（５１、７３）並びに軸受取付部（１９、６８、７０）及び軸取付部（４０）を設けた固定軸（１）に玉軸受（１２）を介して組合せ、前記固定軸（１）にプッシュ（４４）並びに入力瞬間中心内歯車（８）を介してネジ穴（３９）並びに軸受取付部（４７）を設けた入力固定平歯車（２）を組合せて固着し、前記入力固定平歯車（２）並びに入力内回転子（１５）に玉軸受（１０）並びに入力糸車接続板（１１）を介して軸受箱（４２）並びに糸車接続板取付部（１３）を設け回転止金具（５０）を取付けた入力糸車（１６）を組合せて固着した後、入力固定平歯車（２）並びに固定軸（１）に軸取付部（４０）を設けた固定台（５）をプッシュ（２７）を介して組合せて固着し、さらに、入力キャリアピン取付部（５２ａ、ｂ）並びに軸受箱（７６ａ、ｂ）を設け固定軸Ｏ１の位置に軸受箱（４３）を設けたキャリア（３１）に軸受箱（７７ａ、ｂ）を設け玉軸受（５４ａ、ｂ）を介して軸受取付部（７８ａ、ｂ）を備えた入力キャリアピン（５５ａ、ｂ）を固着した入力遊星歯車（２２ａ、ｂ）を組合わせて固着し、さらに、軸受箱（７６ａ、ｂ）に玉軸受（５３ａ、ｂ）を介してキー溝一（５８ａ、ｂ）並びにキー溝二（６０ａ、ｂ）及び軸受取付部（７５ａ、ｂ）を設けた入出力キャリアピン（２４ａ、ｂ）を組合せ、前記入出力キャリアピン（２４ａ、ｂ）にプッシュ（５６ａ、ｂ）を介して閉込遊星歯車一（５９ａ、ｂ）並びに閉込遊星歯車二（６２ａ、ｂ）をキー止めして止め金一（５７ａ、ｂ）並びに止め金二（６１ａ、ｂ）で固着し、入力外回転子（３８）の瞬間中心の延長線上に設けたネジ穴（３）にねじを立て回転止金具（５０）を使つて瞬間中心を動かなくしてから玉軸受（２３）並びに閉込遊星歯車一（５９ａ、ｂ）及び入力遊星歯車（２２ａ、ｂ）を介して固定軸（１）並びに入力閉込太陽内歯車（２０）及び入力太陽歯車（４８）に組合わせた後、さらに、内歯車取付部（２８）並びに軸受取付部（７１）及び軸受箱（６５）を設け出力閉込太陽内歯車（３０）並びに出力瞬間中心内歯車（３５）を固着し軸受箱（７２）を設けた出力太陽歯車（３７）を玉軸受（３６）を介して組合わせた出力外回転子（２９）に軸受箱（６６）並びに軸受取付部（７４）及び糸車接続板取付部（４９）を設けた出力内回転子（１４）を玉軸受（７）を介して組合せ、前記出力内回転子（１４）を玉軸受（２５）並びに出力閉込太陽内歯車（３０）及び出力太陽歯車（３７）を介して閉込遊星歯車二（６２ａ、ｂ）に組合わせた出力外回転子（２９）の出力瞬間中心内歯車（３５）並びに固定軸（１）に軸受取付部（４６）並びにネジ穴（３４）を設けた出力固定平歯車（２１）をプッシュ（４５）を介して取付け固定し、前記出力固定平歯車（２１）並びに出力内回転子（１４）に玉軸受（４）並びに出力糸車接続板（２６）を介して軸受箱（４１）並びに糸車接続板取付部（４９）を設けた出力糸車（１７）を組合せ止め金（３３）並びに出力糸車接続板（２６）を固着したロータリー機構の瞬間倍力を遊星歯車機構で瞬間中心に閉じ込め出力内回転子で取り出す増力装置。
【発明の詳細な説明】
【０００１】
【発明の属する技術分野】
本発明は、歯車比２：３のロータリー機構において瞬間中心を軸にした外回転子の瞬間倍力を取り出すため遊星歯車機構のキャリアに瞬間中心の両側に閉じ込め角６０°づつの入出力キャリアピン取付部を設け瞬間中心の瞬間倍力を瞬間中心に閉じ込め遊星歯車機構の入出力閉込太陽内歯車並びに閉込遊星歯車一ａ，ｂ、二ａ，ｂ及び入出力太陽歯車の噛み合わせによる入出力閉込太陽内歯車と閉込遊星歯車一ａ，ｂ、二ａ，ｂの噛み合い点Ｑ４、Ｑ５を結んだ線が入出力瞬間中心の上を通るため瞬間倍力を入出力瞬間中心に閉じ込め、閉込遊星歯車一ａ、ｂ及び閉込遊星歯車二ａ、ｂの逆回転により瞬間倍力を持続させて入力内回転子と入力遊星歯車ａ、ｂの作用で出力内回転子で取り出す、ロータリー機構の瞬間倍力を遊星歯車機構で瞬間中心に閉じ込め出力内回転子で取り出す増力装置並びに該装置に用いる遊星歯車機構とロータリー機構の入出力内回転子に関する。
【０００２】
【従来の技術】
従来増力することは、不可能とされてきた。
【０００３】
【発明が解決しようとする課題】
従来のロータリー機構にあっては、外回転子の平面上のＱ点にピンを打込み糸を付け瞬間中心の上を通して重りＷを吊すと死点となって動かないが、入力糸車に重りＭ（Ｍ＝Ｗ／１０）を吊すとピンＱはエピトロコイド曲線を描いて離れて行くという問題点があった。
【０００４】
本発明は、外回転子に打込んだピンＱに作用する瞬間中心を軸にした瞬時の倍力機能を持続して取り出すための、ロータリー機構の瞬間倍力を遊星歯車機構で瞬間中心に閉じ込め出力内回転子で取り出す増力装置を得ることを目的としており、さらに該装置に用いられる、遊星歯車機構とロータリー機構の入出力内回転子を提供することを目的としている。
【０００５】
【課題を解決するための手段】
上記目的を達成するために、本発明の歯車比２：３のロータリー機構においては、ロータリー機構と遊星歯車機構を組合わせた縦軸の装置で、その縦軸の中央に軸受取付部６８を設け遊星歯車機構のキャリア３１を取付け、そのキャリア３１の上下に同型のロータリー機構を組合せ、そのロータリー機構の入出力瞬間中心内歯車８、３５の瞬間中心上に入出力閉込太陽内歯車２０、３０と閉込遊星歯車一５９ａ、ｂ及び閉込遊星歯車二６２ａ、ｂの噛み合い点Ｑ４、Ｑ５を結んだ線が瞬間中心と重なって瞬間倍力を瞬間中心に閉じ込め、その閉じ込められた瞬間倍力を閉込遊星歯車一５９ａ、ｂ及び閉込遊星歯車二６２ａ、ｂの逆回転で入力外回転子３８及び出力外回転子２９の３倍の速さで瞬間中心を回転しながら瞬間倍力を持続させるものであって、遊星歯車機構のキャリア３１の偏心量ｅの位置の偏心軸Ｅを軸にキャリアピン取付半径ＲＫの円を描き、その円周（瞬間中心Ｉを起点に、右回り６０°、６０°、１２０°、６０°、６０°に分割した）の交点をＯ２、Ｏ３、Ｏ４、Ｏ５とし、Ｏ２、Ｏ３には入力キャリアピン取付部５２ａ，ｂを設け、Ｏ４、Ｏ５には軸受箱７６ａ，ｂを設け固定軸Ｏ１の位置には軸受箱４３を設けたキャリア３１の下部に、内歯車取付部９並びに軸受取付部６９及び軸受箱６４とネジ穴３を設け入力閉込太陽内歯車２０並びに入力瞬間中心内歯車８を固着し軸受箱６３を設けた入力太陽歯車４８を玉軸受３２を介して組合わせた入力外回転子３８に軸受箱１８並びに軸受取付部６７及び糸車接続板取付部１３を設けた入力内回転子１５を玉軸受６を介して組合せ、該入力内回転子１５を歯車取付部５１、７３並びに軸受取付部１９、６８、７０及び軸取付部４０を設けた固定軸１に玉軸受１２を介して組合せ、該固定軸１にプッシュ４４並びに入力瞬間中心内歯車８を介してネジ穴３９並びに軸受取付部４７を設けた入力固定平歯車２を組合せて固着し、該入力固定平歯車２並びに入力内回転子１５に玉軸受１０並びに入力糸車接続板１１を介して軸受箱４２並びに糸車接続板取付部１３を設け回転止金具５０を取付けた入力糸車１６を組合せて固着した後、入力固定平歯車２並びに固定軸１に軸取付部４０を設けた固定台５をプッシュ２７を介して組合せて固着し、さらに、入力キャリアピン取付部５２ａ、ｂ並びに軸受箱７６ａ、ｂを設け固定軸Ｏ１の位置に軸受箱４３を設けたキャリア３１に軸受箱７７ａ、ｂを設け玉軸受５４ａ、ｂを介して軸受取付部７８ａ、ｂを備えた入力キャリアピン５５ａ、ｂを固着した入力遊星歯車２２ａ、ｂを組合わせて固着し、さらに、軸受箱７６ａ、ｂに玉軸受５３ａ、ｂを介してキー溝一５８ａ、ｂ並びにキー溝二６０ａ、ｂ及び軸受取付部７５ａ、ｂを設けた入出力キャリアピン２４ａ、ｂを組合せ、該入出力キャリアピン２４ａ、ｂにプッシュ５６ａ、ｂを介して閉込遊星歯車一５９ａ、ｂ並びに閉込遊星歯車二６２ａ、ｂをキー止めして止め金一５７ａ、ｂ並びに止め金二６１ａ、ｂで固着し、さらに、入力外回転子３８の瞬間中心の延長線上に設けたネジ穴３にねじを立て回転止金具５０を使つて瞬間中心を動かなくしてから玉軸受２３並びに閉込遊星歯車一５９ａ、ｂ及び入力遊星歯車２２ａ、ｂを介して固定軸１並びに入力閉込太陽内歯車��０及び入力太陽歯車４８に組合わせた後、さらに、キャリア３１の上部に、内歯車取付部２８並びに軸受取付部７１及び軸受箱６５を設け出力閉込太陽内歯車３０並びに出力瞬間中心内歯車３５を固着し軸受箱７２を設けた出力太陽歯車３７を玉軸受３６を介して組合わせた出力外回転子２９に軸受箱６６並びに軸受取付部７４及び糸車接続板取付部４９を設けた出力内回転子１４を玉軸受７を介して組合せ、該出力内回転子１４を玉軸受２５並びに出力閉込太陽内歯車３０及び出力太陽歯車３７を介して閉込遊星歯車二６２ａ、ｂに組合わせた出力外回転子２９の出力瞬間中心内歯車３５並びに固定軸１に軸受取付部４６並びにネジ穴３４を設けた出力固定平歯車２１をプッシュ４５を介して取付け固定し、該出力固定平歯車２１並びに出力内回転子１４に玉軸受４並びに出力糸車接続板２６を介して軸受箱４１並びに糸車接続板取付部４９を設けた出力糸車１７を組合せ止め金３３並びに出力糸車接続板２６を固着したものである。
【０００６】
【発明の実施の形態】
発明の実施の形態を実施例にもとづき図面を参照して説明する。
図１において、内歯車取付部９並びに軸受取付部６９及び軸受箱６４とネジ穴３を設け入力閉込太陽内歯車２０並びに入力瞬間中心内歯車８をさらネジ８０で固着し軸受箱６３を設けた入力太陽歯車４８を玉軸受３２を介して組合わせた入力外回転子３８に軸受箱１８並びに軸受取付部６７及び糸車接続板取付部１３を設けた入力内回転子１５を玉軸受６を介して組合せ、該入力内回転子１５を歯車取付部５１、７３並びに軸受取付部１９、６８、７０及び軸取付部４０を設けた固定軸１に玉軸受１２を介して組合せ、該固定軸１にプッシュ４４並びに入力瞬間中心内歯車８を介してネジ穴３９並びに軸受取付部４７を設けた入力固定平歯車２を組合せて止めネジ８１で固着し、該入力固定平歯車２並びに入力内回転子１５に玉軸受１０並びに入力糸車接続板１１を介して軸受箱４２並びに糸車接続板取付部１３を設け回転止金具５０を取付けた入力糸車１６を組合せさらネジ８０で固着した後、入力固定平歯車２並びに固定軸１に軸取付部４０を設けた固定台５をプッシュ２７を介して組合せて座金７９とナット８２で固着し、さらに、入力キャリアピン取付部５２ａ、ｂ並びに軸受箱７６ａ、ｂを設け固定軸Ｏ１の位置に軸受箱４３を設けたキャリア３１の入力キャリアピン取付部５２ａ、ｂに軸受箱７７ａ、ｂを設け玉軸受５４ａ、ｂを介して軸受取付部（７８ａ、ｂ）を備えた入力キャリアピン５５ａ、ｂを止め輪８３となべネジ８４で固着した入力遊星歯車２２ａ、ｂを組合わせさらネジ８０で固着し、さらに、軸受箱７６ａ、ｂに玉軸受５３ａ、ｂを介してキー溝一５８ａ、ｂ並びにキー溝二６０ａ、ｂ及び軸受取付部７５ａ、ｂを設けた入出力キャリアピン２４ａ、ｂを組合せ、該入出力キャリアピン２４ａ、ｂにプッシュ５６ａ、ｂを介して閉込遊星歯車一５９ａ、ｂ並びに閉込遊星歯車二６２ａ、ｂをキー止めして止め金一ａ、ｂ止め金二ａ、ｂを介してさらネジ８０で固着し、入力外回転子３８の瞬間中心の延長線上に設けたネジ穴３にねじを立て回転止金具５０を使つて瞬間中心を動かなくしてから玉軸受２３並びに閉込遊星歯車一５９ａ、ｂ及び入力遊星歯車２２ａ、ｂを介して固定軸１並びに入力閉込太陽内歯車２０及び入力太陽歯車４８に組合わせた後、さらに、内歯車取付部２８並びに軸受取付部７１及び軸受箱６５を設け出力閉込太陽内歯車３０並びに出力瞬間中心内歯車３５をさらネジ８０で固着し軸受箱７２を設けた出力太陽歯車３７を玉軸受３６を介して組合わせた出力外回転子２９に軸受箱６６並びに軸受取付部７４及び糸車接続板取付部４９を設けた出力内回転子１４を玉軸受７を介して組合せ、該出力内回転子１４を玉軸受２５並びに出力閉込太陽内歯車３０及び出力太陽歯車３７を介して閉込遊星歯車二６２ａ、ｂに組合わせた出力外回転子２９の出力瞬間中心内歯車３５並びに固定軸１に軸受取付部４６並びにネジ穴３４を設けた出力固定平歯車２１をプッシュ４５を介して組合せ止めネジ８１で固定し、該出力固定平歯車２１並びに出力内回転子１４に玉軸受４並びに出力糸車接続板２６を介して軸受箱４１並びに糸車接続板取付部４９を設けた出力糸車１７を組合せ止め金３３並びに出力糸車接続板２６を座金７９並びにナット８２及びさらネジ８０で固着する。
【０００７】
【発明の効果】
本発明は、以上説明したように構成されているので、以下に記載されるような効果を奏する。
【０００８】
重力、または、バネ圧等で入出力の両端の釣り合いが保たれている装置に、本発明のロータリー機構の瞬間倍力を遊星歯車機構で瞬間中心に閉じ込め出力内回転子で取り出す増力装置を取付け、釣り合いを崩して起こる自転を動力原にすると、その動力は、きれいであり、静かであり、経済的であり、小型であるため輸送機器や家庭の電力等にも利用できる。
【図面の簡単な説明】
【図１】ロータリー機構の瞬間倍力を遊星歯車機構で瞬間中心に閉じ込め出力内回転子で取り出す増力装置のＢ−Ｂ縦断面図である。
【図２】ロータリー機構の瞬間倍力を遊星歯車機構で瞬間中心に閉じ込め出力内回転子で取り出す増力装置のＡ−Ａ平面図である。
【図３】ロータリー機構の瞬間倍力を遊星歯車機構で瞬間中心に閉じ込め出力内回転子で取り出す増力装置のＣ−Ｃ部分断面図である。
【符号の説明】
１  固定軸
２  入力固定平歯車
３、３４、３９  ネジ穴
４、６、７、１０、１２、２３、２５、３２、３６、５３ａ，ｂ、５４ａ，ｂ  玉軸受
５  固定台
８  入力瞬間中心内歯車
９、２８  内歯車取付部
１１  入力糸車接続板
１３、４９  糸車接続板取付部
１４  出力内回転子
１５  入力内回転子
１６  入力糸車
１７  出力糸車
１８、４１、４２、４３、６３、６４、６５、６６、７２、７６ａ，ｂ、７７ａ，ｂ  軸受箱
１９、４６、４７、６７、６８、６９、７０、７１、７４、７５ａ，ｂ、７８ａ，ｂ  軸受取付部
２０  入力閉込太陽内歯車
２１  出力固定平歯車
２２  入力遊星歯車ａ，ｂ
２４  入出力キャリアピンａ，ｂ
２６  出力糸車接続板
２７、４４、４５、５６ａ，ｂ  プッシュ
２９  出力外回転子
３０  出力閉込太陽内歯車
３１  キャリア
３３、５７一ａ，ｂ、６１二ａ，ｂ  止め金
３５  出力瞬間中心内歯車
３７  出力太陽歯車
３８  入力外回転子
４０  軸取付部
４８  入力太陽歯車
５０  回転止金具
５１、７３  歯車取付部
５２  入力キャリアピン取付部ａ，ｂ
５５  入力キャリアピンａ，ｂ
５８一ａ，ｂ、６０二ａ，ｂ  キー溝
５９一ａ，ｂ、６２二ａ，ｂ  閉込遊星歯車
【図１】
2004278771.tif 000003
【図２】
2004278771.tif 000004
【図３】
2004278771.tif 000005